(57)【要約】【課題】流し読み方式の自動原稿送り装置を用いたコピー動作の処理速度向上と、プラテンコピーの１枚目出力完了時間（ＦＣＯＴ）の短縮と、連続するプラテンコピー作業の時間短縮を図りつつ、連続コピー動作での出力画像の向きを合わせる。【解決手段】プラテンコピーの動作モードに、圧縮伸張や１８０度回転処理などを伴わないＦＣＯＴを重視したプラテン２モードと、これと出力画像の向きが同一であって前ページの出力中に読取動作が実施されるプラテン３モードと、自動原稿送り装置を用いたコピーと出力画像の向きが同一であって前ページの出力中に読取動作が実施されるプラテン１モードを設ける。【選択図】図１
2004350074.tif 000002
【特許請求の範囲】
【請求項１】
原稿を読み取って画像データを取得する読取手段と、画像データを格納し記憶する画像格納手段と、画像データに基づいて記録部材上に画像を形成する記録手段と、原稿の読取から画像形成までのコピー動作の流れを制御する制御手段とを有するとともに、原稿の読取モードとして、前記読取手段を移動させて静止状態の原稿を読み取る静止読みモードと、自動原稿送り装置によって原稿を移動させながら静止状態の読取手段で原稿を読み取る流し読みモードとを備え、これらの読取モードで前記読取手段が原稿を横切る方向が逆になる複写装置において、
前記制御手段は、前記コピー動作の動作モードとして、前記流し読みモードで読み取った原稿の画像データを前記画像格納手段に少なくとも１ページ分格納してからこれを読み出して記録部材上に画像を形成する第１コピーモードと、前記静止読みモードで読み取った原稿の画像データを前記画像格納手段に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段に１ページ分格納されるのを待たずに記録部材上に画像を形成する第３コピーモードと、前記静止読みモードで読み取った原稿の画像データを前記画像格納手段に少なくとも１ページ分格納してからこれを読み出して記録部材上に画像を形成しかつ前記第３コピーモードと同じ向きの出力画像が形成される第４コピーモードとを有する
ことを特徴とする複写装置。
【請求項２】
原稿を読み取って画像データを取得する読取手段と、画像データを格納し記憶する画像格納手段と、画像データに基づいて記録部材上に画像を形成する記録手段と、原稿の読取から画像形成までのコピー動作の流れを制御する制御手段とを有するとともに、原稿の読取モードとして、前記読取手段を移動させて静止状態の原稿を読み取る静止読みモードと、自動原稿送り装置によって原稿を移動させながら静止状態の読取手段で原稿を読み取る流し読みモードとを備え、これらの読取モードで前記読取手段が原稿を横切る方向が逆になる複写装置において、
前記制御手段は、前記コピー動作の動作モードとして、前記流し読みモードで読み取った原稿の画像データを前記画像格納手段に少なくとも１ページ分格納してからこれを読み出して記録部材上に画像を形成する第１コピーモードと、前記静止読みモードで読み取った原稿の画像データを前記画像格納手段に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段に１ページ分格納されるのを待たずに記録部材上に画像を形成する第３コピーモードと、前記静止読みモードで読み取った原稿の画像データを前記画像格納手段に少なくとも１ページ分格納してからこれを読み出して記録部材上に画像を形成しかつ前記第３コピーモードと同じ向きの出力画像が形成される第４コピーモードとを有し、
前記第３コピーモードで１ページ目のコピー動作を開始した場合であって、前のページの出力動作が完了する前に、前記静止読みモードを用いた次の原稿に対するコピー動作のスタート操作が前記第２コピーモードの指定無しに行なわれたとき、このコピー動作を前記第４コピーモードで実施する
ことを特徴とする複写装置。
【請求項３】
コピー動作の実行中に次の原稿にかかわるコピー動作の予約を受け付けるとともに、前記静止読みモードを用いたコピー動作の予約モードとして、ユーザーの選択に基づく選択予約と、スタート操作が成された際の動作状態に応じて装置側で自動設定する自動予約とを有する予約受付手段を備え、
前記予約受付手段は、前記第３コピーモードで１ページ目のコピー動作を開始した場合であって、前のページの出力動作が完了する前に、前記静止読みモードを用いた次の原稿に対するコピー動作のスタート操作が前記選択予約無しに行なわれたとき、今回のスタート操作に基づくコピー動作を前記自動予約に設定し、
前記制御手段は、前記静止読みモードを用いかつ前記選択予約でも前記自動予約でもないコピー動作を前記第３コピーモードで実施し、前記自動予約にかかわるコピー動作を前記第４コピーモードで実施し、前記静止読みモードを用いかつ前記選択予約されたコピー動作を前記第２コピーモードで実施する
ことを特徴とする請求項１に記載の複写装置。
【請求項４】
画像データを圧縮する圧縮手段と、圧縮された画像データを伸張する伸張手段と、画像をその鏡像に変換する鏡像処理と画像を１８０度回転させる回転処理の実施機能を備えた画像変換手段とを有し、
前記第１コピーモードは、画像をその鏡像に変換する鏡像処理と、画像データを圧縮して前記画像格納手段に格納する圧縮処理と、前記画像格納手段から読み出したデータを伸張する伸張処理を実施して記録部材上に画像を形成するものであり、
前記第２コピーモードは、前記回転処理と、前記圧縮処理と、前記伸張処理を実施して記録部材上に画像を形成するものであり、
前記第３コピーモードは、前記回転処理および前記鏡像処理、前記圧縮処理、前記伸張処理を実施せずに記録部材上に画像を形成するものであり、
前記第４コピーモードは、前記圧縮処理と前記伸張処理を実施して記録部材上に画像を形成するものである
ことを特徴とする請求項１、２または３に記載の複写装置。
【請求項５】
原稿を読み取って画像データを取得する読取手段と、画像データを格納し記憶する画像格納手段と、画像データに基づいて記録部材上に画像を形成する記録手段と、原稿の読取から画像形成までのコピー動作の流れを制御する制御手段とを有するとともに、原稿の読取モードとして、前記読取手段を移動させて静止状態の原稿を読み取る静止読みモードと、自動原稿送り装置によって原稿を移動させながら静止状態の読取手段で原稿を読み取る流し読みモードとを備え、これらの読取モードで前記読取手段が原稿を横切る方向が逆になる複写装置における複写方法であって、
前記コピー動作の動作モードとして、前記流し読みモードで読み取った原稿の画像データを前記画像格納手段に少なくとも１ページ分格納してからこれを読み出して記録部材上に画像を形成する第１コピーモードと、前記静止読みモードで読み取った原稿の画像データを前記画像格納手段に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段に１ページ分格納されるのを待たずに記録部材上に画像を形成する第３コピーモードと、前記静止読みモードで読み取った原稿の画像データを前記画像格納手段に少なくとも１ページ分格納してからこれを読み出して記録部材上に画像を形成しかつ前記第３コピーモードと同じ向きの出力画像が形成される第４コピーモードとを有し、
前記第３コピーモードで１ページ目のコピー動作を開始した場合であって、前のページの出力動作が完了する前に、前記静止読みモードを用いた次の原稿に対するコピー動作のスタート操作が前記第２コピーモードの指定無しに行なわれたとき、このコピー動作を前記第４コピーモードで実施する
ことを特徴とする複写方法。
【請求項６】
コピー動作の実行中に次の原稿にかかわるコピー動作の予約を受け付けるとともに、前記静止読みモードを用いたコピー動作の予約モードとして、ユーザーの選択に基づく選択予約と、スタート操作が成された際の動作状態に応じて装置側で自動設定する自動予約とを有し、
前記第３コピーモードで１ページ目のコピー動作を開始した場合であって、前のページの出力動作が完了する前に、前記静止読みモードを用いた次の原稿に対するコピー動作のスタート操作が前記選択予約無しに行なわれたとき、今回のスタート操作に基づくコピー動作を前記自動予約に設定し、
前記静止読みモードを用いかつ前記選択予約でも前記自動予約でもないコピー動作を前記第３コピーモードで実施し、
前記自動予約にかかわるコピー動作を前記第４コピーモードで実施し、
前記静止読みモードを用いかつ前記選択予約されたコピー動作を前記第２コピーモードで実施する
ことを特徴とする請求項５に記載の複写方法。
【請求項７】
前記第１コピーモードでは、画像をその鏡像に変換する鏡像処理と、画像データを圧縮して前記画像格納手段に格納する圧縮処理と、前記画像格納手段から読み出したデータを伸張する伸張処理を実施して記録部材上に画像を形成し、
前記第２コピーモードでは、画像を１８０度回転させる回転処理と、前記圧縮処理と、前記伸張処理を実施して記録部材上に画像を形成し、
前記第３コピーモードでは、前記回転処理および前記鏡像処理、前記圧縮処理、前記伸張処理を実施せずに記録部材上に画像を形成し、
前記第４コピーモードでは、前記圧縮処理と前記伸張処理を実施して記録部材上に画像を形成する
ことを特徴とする請求項５または６に記載の複写方法。
【発明の詳細な説明】
【０００１】
【発明の属する技術分野】
本発明は、原稿を読み取ってその画像の複製を記録部材上に形成する複写装置および複写方法にかかわり、特に、原稿の読取モードとして、読取手段を移動させて静止状態の原稿を読み取る静止読みモードと、自動原稿送り装置によって原稿を移動させながら静止状態の読取手段で原稿を読み取る流し読みモードとを備え、これらの読取モードで読取手段が原稿を横切る方向が逆になる複写装置および当該複写装置における複写方法に関する。
【０００２】
【従来の技術】
近年、複写装置の有する自動原稿送り装置の小型化・低価格化および操作性向上等の観点から、プラテンガラスの一端部に読取手段を静止させ、この上を横切るように原稿を移動させて読み取る「流し読み方式」が提案されている。たとえば、読取箇所がプラテンガラスの左端にある場合には、自動原稿送り装置の原稿台に原稿面を上向きにしてセットされた原稿は、その左端から装置内部に引き込まれて反転給紙され、原稿セット状態を上から見て、読取箇所を、左から右に横切るように移動して読み取られる。
【０００３】
ブック原稿や特殊な紙質で自動原稿送り装置を使用できない場合には、原稿をプラテンガラス上に載置して読み取りが行なわれる。この場合、原稿面を下に向けてプラテンガラス上に載置し、プラテンガラスの下面に沿って読取手段を移動させて読み取りが行なわれる。原稿をプラテンガラスの左奥に突き当てて読取手段を左から右に移動させると、読取手段は原稿をその正面から見て右から左に横切って読み取ることになり、原稿の読取方向が「流し読み方式」と逆になる。
【０００４】
そこで、読取方式の違いによって出力画像の天地が逆にならないように各種の技術が提案されている。たとえば、以下に示す特許文献１には、いずれか一方の読取方式で読み取った画像を画像処理によって１８０度回転させて出力画像を形成することが開示されている。また特許文献２には、転写紙の搬送経路上で転写紙自体を回転させる技術が開示されている。
【０００５】
ところで、通常、デジタル方式の複写装置では、原稿を読取手段で読み取って得た画像データを圧縮してメモリに一旦格納した後、当該メモリから読み出し、伸張して転写紙上に画像を形成するようになっている。このようなデジタル方式の複写装置では、メモリを介在させることで、画像データの読取動作と出力動作を独立並行に実行することが可能になる。そこで、読取動作が終了して既にスキャナが空いている場合には、現在のジョブにかかわる出力動作の完了前に次のジョブの読取動作を開始して、ジョブを予約登録し得るようになっている。
【０００６】
また上記のようにメモリを介在させる場合には、通常、少なくとも原稿の１ページ目の読取動作が完了してから、出力動作を開始するので、１枚目のコピーが完了するまでの時間（ＦＣＯＴ：Ｆｉｒｓｔ  Ｃｏｐｙ  Ｏｕｔ  Ｔｉｍｅ）が長くなる。このＦＣＯＴを短縮するために、原稿読取中に所定ライン数以上の画像データがメモリに圧縮格納された時点で、メモリからの読み出しを開始して、読取動作と出力動作を並行に実施する技術が提案されている（特許文献３参照。）。
【０００７】
このほか、プラテンガラス上に載置された原稿のコピーを続けて行なう場合の時間短縮を目的として、原稿の読取動作完了後その出力動作完了までの間に次の原稿に対するコピースタート釦が操作されると、前と同じコピー設定内容で原稿を読み取って自動的にコピー予約を行なう技術が開示されている（特許文献４参照。）。
【０００８】
【特許文献１】
特開平１１−１４６１８６号公報
【特許文献２】
特開平８−４８４３４号公報
【特許文献３】
特開２０００−２８０５８０号公報
【特許文献４】
特開２００１−１６９０３１号公報
【０００９】
【発明が解決しようとする課題】
「流し読み方式」で読み取った場合の出力画像とプラテンガラス上に載置された原稿を読み取った場合の出力画像の向きを合わせる場合に実施される１８０度回転処理は、プラテンガラス上の原稿をコピーする場合に行なうことが望ましい。これは、コピー作業の大半が自動原稿送り装置を用いた「流し読み方式」で行なわれるので、この場合の処理負担を軽減することで、実質的なコピー速度が高まることによる。
【００１０】
一方、プラテンガラス上に載置された原稿にかかわるＦＣＯＴを短縮するためには、原稿の読取動作と並行して、読取済みの部分を次々と画像形成して出力することが好ましい。１８０度回転処理は非圧縮の状態で１ページ分の画像データをページメモリに格納する必要があるので、ＦＣＯＴを重視したコピーモードでは１８０度回転処理は採用できず、自動原稿送り装置を用いた場合と出力画像の天地が逆になってしまう。
【００１１】
またプラテンガラス上に載置される原稿をユーザーが次々に入れ替えて連続的にプラテンコピーを行なう場合の作業時間を短縮するには、１ページ目をＦＣＯＴ重視のコピーモードで行ない、２ページ目以降は、メモリを介在させたコピーモードによって前のページの出力動作完了前に次の原稿の読取動作を開始することが望ましい。そしてこの場合の出力画像の向きが、ＦＣＯＴを重視したコピーモードと同一になることが好ましい。
【００１２】
本発明は、以上のような観点から成されたもので、流し読み方式の自動原稿送り装置を用いたコピー動作の処理速度向上と、プラテンガラス上に載置された原稿の１枚目が出力されるまでの時間短縮と、プラテンガラス上に載置された原稿のコピーを続けて行なう場合の時間短縮とを図りつつ、連続コピー動作での出力画像の向きを合わせることのできる複写装置および複写方法を提供することを目的としている。
【００１３】
【課題を解決するための手段】
かかる目的を達成するための本発明の要旨とするところは、次の各項の発明に存する。
【００１４】
請求項１にかかわる発明は、原稿を読み取って画像データを取得する読取手段（３５）と、画像データを格納し記憶する画像格納手段（１０４）と、画像データに基づいて記録部材上に画像を形成する記録手段（４０）と、原稿の読取から画像形成までのコピー動作の流れを制御する制御手段（１１０）とを有するとともに、原稿の読取モードとして、前記読取手段（３５）を移動させて静止状態の原稿を読み取る静止読みモードと、自動原稿送り装置（２０）によって原稿を移動させながら静止状態の読取手段（３５）で原稿を読み取る流し読みモードとを備え、これらの読取モードで前記読取手段（３５）が原稿を横切る方向が逆になる複写装置において、前記制御手段（１１０）は、前記コピー動作の動作モードとして、前記流し読みモードで読み取った原稿の画像データを前記画像格納手段（１０４）に少なくとも１ページ分格納してからこれを読み出して記録部材上に画像を形成する第１コピーモードと、前記静止読みモードで読み取った原稿の画像データを前記画像格納手段（１０４）に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段（１０４）に１ページ分格納されるのを待たずに記録部材上に画像を形成する第３コピーモードと、前記静止読みモードで読み取った原稿の画像データを前記画像格納手段（１０４）に少なくとも１ページ分格納してからこれを読み出して記録部材上に画像を形成しかつ前記第３コピーモードと同じ向きの出力画像が形成される第４コピーモードとを有することを特徴とする複写装置である。
【００１５】
上記発明によれば、プラテンガラス上に載置された原稿を読み取る静止読みモードと自動原稿送り装置（２０）を用いた場合の流し読みモードで原稿の読取方向が逆になる複写装置であっても、プラテンガラス上の原稿を第２コピーモードでコピーすれば、自動原稿送り装置（２０）を用いた場合と出力画像の向きが同一になる。またプラテンガラス上に載置された原稿を第３コピーモードでコピーすれば、１ページ分メモリに格納される前に出力動作が開始されるので、１枚目の出力画像を得るまでの時間（ＦＣＯＴ）が短縮される。さらにプラテンガラス上に載置された原稿を第４コピーモードでコピーすれば、第３コピーモードと出力画像の向きが一致する。したがって、プラテンガラス上の原稿を次々と入れ替えて連続的にプラテンコピーする場合に、１ページ目を第３コピーモードで行ない、次ページ以降を第４コピーモードで行なえば、ＦＣＯＴを短縮しつつ、一連の出力画像の向きを揃えることができる。
【００１６】
請求項２にかかわる発明は、原稿を読み取って画像データを取得する読取手段（３５）と、画像データを格納し記憶する画像格納手段（１０４）と、画像データに基づいて記録部材上に画像を形成する記録手段（４０）と、原稿の読取から画像形成までのコピー動作の流れを制御する制御手段（１１０）とを有するとともに、原稿の読取モードとして、前記読取手段（３５）を移動させて静止状態の原稿を読み取る静止読みモードと、自動原稿送り装置（２０）によって原稿を移動させながら静止状態の読取手段（３５）で原稿を読み取る流し読みモードとを備え、これらの読取モードで前記読取手段（３５）が原稿を横切る方向が逆になる複写装置において、前記制御手段（１１０）は、前記コピー動作の動作モードとして、前記流し読みモードで読み取った原稿の画像データを前記画像格納手段（１０４）に少なくとも１ページ分格納してからこれを読み出して記録部材上に画像を形成する第１コピーモードと、前記静止読みモードで読み取った原稿の画像データを前記画像格納手段（１０４）に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段（１０４）に１ページ分格納されるのを待たずに記録部材上に画像を形成する第３コピーモードと、前記静止読みモードで読み取った原稿の画像データを前記画像格納手段（１０４）に少なくとも１ページ分格納してからこれを読み出して記録部材上に画像を形成しかつ前記第３コピーモードと同じ向きの出力画像が形成される第４コピーモードとを有し、前記第３コピーモードで１ページ目のコピー動作を開始した場合であって、前のページの出力動作が完了する前に、前記静止読みモードを用いた次の原稿に対するコピー動作のスタート操作が前記第２コピーモードの指定無しに行なわれたとき、このコピー動作を前記第４コピーモードで実施することを特徴とする複写装置である。
【００１７】
上記発明によれば、ＦＣＯＴを重視した第３コピーモードで１ページ目のコピー動作を開始した後、前のページの出力動作が完了する前に、次の原稿に対するプラテンコピーのスタート操作が第２コピーモードの指定無しに行なわれると、第４コピーモードでコピー動作が実施される。「第２コピーモードの指定無しに」とは、ジョブを予約する意図的な操作や後処理設定、複数部コピー設定など特別な指定無しに、単にコピーのスタート釦を操作した場合が該当する。
【００１８】
この発明では、プラテンガラス上の原稿をユーザーが入れ替えながら連続的にコピーする場合に、原稿の１ページ目はＦＣＯＴを重視した第３コピーモードでコピーされ、２ページ目以降は、前ページの出力完了前に原稿が読み取られてメモリに格納される第４コピーモードで実施されるので、コピーの作業時間が短縮されるとともに、１ページ目と２ページ目以降の出力画像の向きが揃う。なお、ステープラで綴じるなどの後処理の都合によって出力画像の向きが規制される場合には、上記のコピーモードは採用されない。
【００１９】
請求項３にかかわる発明は、コピー動作の実行中に次の原稿にかかわるコピー動作の予約を受け付けるとともに、前記静止読みモードを用いたコピー動作の予約モードとして、ユーザーの選択に基づく選択予約と、スタート操作が成された際の動作状態に応じて装置側で自動設定する自動予約とを有する予約受付手段（１１１，２２０）を備え、前記予約受付手段（１１１，２２０）は、前記第３コピーモードで１ページ目のコピー動作を開始した場合であって、前のページの出力動作が完了する前に、前記静止読みモードを用いた次の原稿に対するコピー動作のスタート操作が前記選択予約無しに行なわれたとき、今回のスタート操作に基づくコピー動作を前記自動予約に設定し、前記制御手段（１１０）は、前記静止読みモードを用いかつ前記選択予約でも前記自動予約でもないコピー動作を前記第３コピーモードで実施し、前記自動予約にかかわるコピー動作を前記第４コピーモードで実施し、前記静止読みモードを用いかつ前記選択予約されたコピー動作を前記第２コピーモードで実施することを特徴とする請求項１に記載の複写装置である。
【００２０】
上記発明によれば、プラテンガラス上の原稿を選択予約でコピーする場合は、出力画像の向きが自動原稿送り装置（２０）を用いてコピーする場合と一致する。またプラテンガラス上の原稿を選択予約も自動予約も無しにコピーする場合は、ＦＣＯＴを重視した第３コピーモードが使用され、これに続けてプラテンガラス上の原稿を自動予約でコピーする場合は、原稿を先読みしつつ１ページ目と２ページ目以降の出力画像の向きが一致する第４コピーモードが使用される。
【００２１】
請求項４にかかわる発明は、画像データを圧縮する圧縮手段（１０３）と、圧縮された画像データを伸張する伸張手段（１０３）と、画像をその鏡像に変換する鏡像処理と画像を１８０度回転させる回転処理の実施機能を備えた画像変換手段（１０１、１０２）とを有し、前記第１コピーモードは、画像をその鏡像に変換する鏡像処理と、画像データを圧縮して前記画像格納手段（１０４）に格納する圧縮処理と、前記画像格納手段（１０４）から読み出したデータを伸張する伸張処理を実施して記録部材上に画像を形成するものであり、前記第２コピーモードは、前記回転処理と、前記圧縮処理と、前記伸張処理を実施して記録部材上に画像を形成するものであり、前記第３コピーモードは、前記回転処理および前記鏡像処理、前記圧縮処理、前記伸張処理を実施せずに記録部材上に画像を形成するものであり、前記第４コピーモードは、前記圧縮処理と前記伸張処理を実施して記録部材上に画像を形成するものであることを特徴とする請求項１、２または３に記載の複写装置である。
【００２２】
上記発明によれば、自動原稿送り装置（２０）を用いて原稿を読み取った場合には、画像を１８０度回転させる処理を行なわないので、処理負担が少なくなってコピー速度が向上する。またＦＣＯＴを重視した第３コピーモードでは、鏡像処理、回転処理、圧縮処理、伸張処理のいずれも実施されないので１枚目の出力動作完了までの所要時間が短縮される。
【００２３】
請求項５にかかわる発明は、原稿を読み取って画像データを取得する読取手段（３５）と、画像データを格納し記憶する画像格納手段（１０４）と、画像データに基づいて記録部材上に画像を形成する記録手段（４０）と、原稿の読取から画像形成までのコピー動作の流れを制御する制御手段（１１０）とを有するとともに、原稿の読取モードとして、前記読取手段（３５）を移動させて静止状態の原稿を読み取る静止読みモードと、自動原稿送り装置（２０）によって原稿を移動させながら静止状態の読取手段（３５）で原稿を読み取る流し読みモードとを備え、これらの読取モードで前記読取手段（３５）が原稿を横切る方向が逆になる複写装置における複写方法であって、前記コピー動作の動作モードとして、前記流し読みモードで読み取った原稿の画像データを前記画像格納手段（１０４）に少なくとも１ページ分格納してからこれを読み出して記録部材上に画像を形成する第１コピーモードと、前記静止読みモードで読み取った原稿の画像データを前記画像格納手段（１０４）に少なくとも１ページ分格納してからこれを読み出して記録部材上に画像を形成しかつ前記第１コピーモードと同じ向きの出力画像が形成される第２コピーモードと、前記静止読みモードで読み取った原稿の画像データが前記画像格納手段（１０４）に１ページ分格納されるのを待たずに記録部材上に画像を形成する第３コピーモードと、前記静止読みモードで読み取った原稿の画像データを前記画像格納手段（１０４）に少なくとも１ページ分格納してからこれを読み出して記録部材上に画像を形成しかつ前記第３コピーモードと同じ向きの出力画像が形成される第４コピーモードとを有し、前記第３コピーモードで１ページ目のコピー動作を開始した場合であって、前のページの出力動作が完了する前に、前記静止読みモードを用いた次の原稿に対するコピー動作のスタート操作が前記第２コピーモードの指定無しに行なわれたとき、このコピー動作を前記第４コピーモードで実施することを特徴とする複写方法である。
【００２４】
上記発明によれば、プラテンガラス上の原稿をユーザーが入れ替えながら連続的にコピーする場合に、原稿の１ページ目はＦＣＯＴを重視した第３コピーモードでコピーされ、２ページ目以降は第４コピーモードで実施されるので、前ページの出力動作完了前に原稿が読み取られてメモリに格納され、コピーの作業時間が短縮されるとともに、１ページ目と２ページ目以降の出力画像の向きが揃う。
【００２５】
請求項６にかかわる発明は、コピー動作の実行中に次の原稿にかかわるコピー動作の予約を受け付けるとともに、前記静止読みモードを用いたコピー動作の予約モードとして、ユーザーの選択に基づく選択予約と、スタート操作が成された際の動作状態に応じて装置側で自動設定する自動予約とを有し、前記第３コピーモードで１ページ目のコピー動作を開始した場合であって、前のページの出力動作が完了する前に、前記静止読みモードを用いた次の原稿に対するコピー動作のスタート操作が前記選択予約無しに行なわれたとき、今回のスタート操作に基づくコピー動作を前記自動予約に設定し、前記静止読みモードを用いかつ前記選択予約でも前記自動予約でもないコピー動作を前記第３コピーモードで実施し、前記自動予約にかかわるコピー動作を前記第４コピーモードで実施し、前記静止読みモードを用いかつ前記選択予約されたコピー動作を前記第２コピーモードで実施することを特徴とする請求項５に記載の複写方法である。
【００２６】
上記発明によれば、プラテンガラス上の原稿を選択予約でコピーする場合は、出力画像の向きが自動原稿送り装置（２０）を用いてコピーする場合と一致する。またプラテンガラス上の原稿を選択予約も自動予約も無しに普通にコピーする場合は、ＦＣＯＴを重視した第３コピーモードが使用され、これに続けてプラテンガラス上の原稿を自動予約でコピーする場合は、原稿を先読みしつつ１ページ目と２ページ目以降の出力画像の向きが一致する第４コピーモードが使用される。
【００２７】
請求項７にかかわる発明は、前記第１コピーモードでは、画像をその鏡像に変換する鏡像処理と、画像データを圧縮して前記画像格納手段（１０４）に格納する圧縮処理と、前記画像格納手段（１０４）から読み出したデータを伸張する伸張処理を実施して記録部材上に画像を形成し、前記第２コピーモードでは、画像を１８０度回転させる回転処理と、前記圧縮処理と、前記伸張処理を実施して記録部材上に画像を形成し、前記第３コピーモードでは、前記回転処理および前記鏡像処理、前記圧縮処理、前記伸張処理を実施せずに記録部材上に画像を形成し、前記第４コピーモードでは、前記圧縮処理と前記伸張処理を実施して記録部材上に画像を形成することを特徴とする請求項５または６に記載の複写方法である。
【００２８】
上記発明によれば、自動原稿送り装置（２０）を用いて原稿を読み取った場合には、画像を１８０度回転させる処理を行なわないので、処理負担が少なくなってコピー速度が向上する。またＦＣＯＴを重視した第３コピーモードでは、鏡像処理、回転処理、圧縮処理、伸張処理のいずれも実施されないので１枚目の出力動作完了までの所要時間が短縮される。
【００２９】
【発明の実施の形態】
以下、図面に基づき本発明の各種実施の形態を説明する。
図２は、本発明の実施の形態にかかわる複写装置１０の断面構成を示している。複写装置１０は、デジタル複写機と称される装置であり、原稿を読み取り、その複製画像を転写紙上に形成するコピー機能を備えている。
【００３０】
複写装置１０は、自動原稿送り装置２０と、読取部３０と、プリンタ部４０と、後処理装置９０とから構成される。自動原稿送り装置（以後、ＡＤＦとも呼ぶ）２０は、原稿載置トレイ２１に積載された原稿２を１枚ずつ読取部３０の読取箇所に送り込む機能を果たす。また両面原稿については、片面読取後、表裏を反転して再び読取部３０へ送り込む機能を備えている。
【００３１】
自動原稿送り装置２０は、原稿載置トレイ２１に積載された原稿を最上部から順に送り出す給紙ローラ２２と、原稿の読取箇所であるコンタクトガラス３１に原稿を密着させながら通過させるための密着ローラ２３と、給紙ローラ２２によって送り込まれた原稿を密着ローラ２３に沿って案内する案内ローラ２４を備えている。さらに、コンタクトガラス３１を通過した原稿の進行方向を切り替える切替爪２５と、両面原稿の表裏を反転させるための反転ローラ２６と、読取が完了した原稿が排出される排紙トレイ２７とを備えている。
【００３２】
両面原稿の場合には、密着ローラ２３に送られてコンタクトガラス３１上を通過した後、一対の反転ローラ２６の間を通るように切替爪２５によって案内される。原稿の終端部分が反転ローラ２６に到達する直前に反転ローラ２６の回転方向が反転しかつ切替爪２５が変位して、今度は密着ローラ２３の上側に向けて原稿が送り出される。これにより原稿の表裏が反転する。密着ローラ２３に送られてコンタクトガラス３１上を再び通過した原稿は再度反転された後、切替爪２５によって排紙トレイ２７に向けて案内されて排出される。片面原稿の場合には、原稿載置トレイ２１から送り出された原稿は密着ローラ２３に沿ってコンタクトガラス３１上を通過した後、そのまま排紙トレイ２７に向けて案内され、排出される。
【００３３】
読取部３０は、読取手段として機能し、自動原稿送り装置２０によって送り込まれた原稿の読取箇所となるコンタクトガラス３１と、ユーザーの手で原稿が載置されるプラテンガラス３２とを上面に備えている。コンタクトガラス３１およびプラテンガラス３２の下方には、光源３３とミラー３４とから成る露光走査部３５が設けてある。露光走査部３５は、図示省略の駆動手段によりプラテンガラス３２の下面に沿って移動可能に構成されている。光源３３は、コンタクトガラス３１やプラテンガラス３２を通じて原稿を照射し、ミラー３４は原稿からの反射光を受け、その進路をプラテンガラス３２と略平行にする機能を果たす。
【００３４】
読取部３０は、原稿からの反射光を受光し、その光強度に応じた電気信号を出力するラインセンサ３６と、原稿からの反射光をラインセンサ３６へ集光する集光レンズ３７と、露光走査部３５のミラー３４からの反射光をラインセンサ３６へ導くための光学経路を形成する各種のミラー３８を備えている。ラインセンサ３６は、原稿を主走査方向に走査する機能を有し、たとえば、多数のＣＣＤ素子で構成される。
【００３５】
プラテンガラス３２上に載置された原稿は、静止読みモードで読み取り、自動原稿送り装置２０を用いる場合は、流し読みモードで原稿を読み取る。静止読みモードは、プラテンガラス３２の下面の左端から右端に向かって露光走査部３５を移動させることで副走査を行なって原稿を読み取る読取モードである。流し読みモードは、露光走査部３５をコンタクトガラス３１の真下で停止させた状態で、コンタクトガラス３１の上を通過するように原稿を移動させることで副走査を行なって原稿を読み取る読取モードである。
【００３６】
自動原稿送り装置２０の原稿載置トレイ２１に原稿面を上向きにしてセットされた原稿２は、その左端から給紙ローラ２２に引き込まれた後、密着ローラ２３に沿って反転給紙されてコンタクトガラス３１上の読取箇所を通過する。この際、原稿セット状態を上から見て、読取箇所が原稿を左から右へ横切るように移動する。静止読みモードでは、原稿２をプラテンガラス３２の左奥に突き当てて露光走査部３５を左から右へ移動させて読み取るので、露光走査部３５が原稿をその正面から見て右から左へ横切るように移動する。したがって、自動原稿送り装置２０を用いた流し読みモードとプラテンガラス３２上の原稿を読み取る静止読みモードで原稿の副走査方向が逆になる。たとえば、図３に示すように、「Ｆ」の文字が描かれた原稿を読み取ると、流し読みモードでは同図（ａ）のように読み取られ、静止読みモードでは、同図（ｂ）のように読み取られる。これらは、主走査方向の線分に対して線対称（鏡像）になっている。
【００３７】
図２に戻って説明を続ける。記録手段としてのプリンタ部４０は、画像データに応じた画像を電子写真プロセスによって転写紙（記録部材）上に形成する機能を果たす。プリンタ部４０は、画像データに応じてＯＮ／ＯＦＦするレーザー光を出力するレーザーユニット４２を有している。レーザーユニット４２は、レーザーダイオードと、ポリゴンミラーと、各種レンズおよびミラー等で構成される。プリンタ部４０は、表面に静電潜像が形成される静電潜像担持体としての感光体４３と、その周囲に配置された帯電装置４４と、現像装置５０と、転写装置４６と、分離装置４７と、クリーニング装置４８とを備えている。
【００３８】
感光体４３は、円筒形状を成すとともに、図示省略の駆動部によって一定方向（図中の矢印Ａ方向）に回転される。帯電装置４４は、感光体４３をコロナ放電によって一様に帯電させる機能を果たす。このように一様に帯電された感光体４３の表面を画像データに応じてＯＮ／ＯＦＦするレーザー光で走査することによって、感光体４３の表面に静電潜像が形成される。
【００３９】
現像装置５０は、感光体４３の表面に形成された静電潜像をトナーによって顕像化する機能を果たす。現像装置５０は、感光体４３に臨み、かつその幅方向に延びるスリットを備えた本体ケース５１と、このスリットから周面の一部が露出するように本体ケース５１に収容された円筒状の現像スリーブ５２と、本体ケース５１の中でトナーを攪拌する攪拌器５３と、図示省略の駆動部を備えている。
【００４０】
駆動部は、現像スリーブ５２を図中の矢印Ｂ方向に回転させるとともに、攪拌器５３を回転駆動する。攪拌器５３の攪拌動作によって現像装置５０の中のトナーは帯電量が増加するとともに、回転している現像スリーブ５２の表面に一様に付着する。現像スリーブ５２の表面に付着したトナーはスリット部分で感光体４３と近接し、感光体４３の表面に形成された静電潜像が現像スリーブ５２からのトナーの移動によって現像顕像化される。
【００４１】
転写装置４６は、電界を与えることで感光体４３の表面のトナー像を転写紙に転写するものであり、分離装置４７は、除電により感光体４３から転写紙を分離する機能を果たす。クリーニング装置４８は、感光体４３に残ったトナーをブレード等で擦って除去して回収する機能を果たす。回収されたトナーは図示省略の経路を通じて現像装置５０に戻される。
【００４２】
プリンタ部４０は、転写紙を給紙する給紙部６０と、給紙された転写紙を感光体４３と転写装置４６との間の転写箇所を通過するように搬送する転写紙搬送部７０と、転写紙上に形成されたトナー像を加圧加熱して転写紙表面に固着固定する定着装置８０を備えている。給紙部６０には、複数の給紙カセット６１があり、通常、サイズや紙種の異なる転写紙が収容される。
【００４３】
各給紙カセット６１の出口近傍には、給紙カセット６１に収容された最上部の転写紙を１枚ずつ転写紙搬送部７０に向けて送り出す第１給紙ローラ６２が設けてある。また各給紙カセット６１の出口には、送り出された転写紙を検知するためのトレイ出口センサー６３が設けてある。転写紙搬送部７０には、最小サイズの転写紙の送り方向サイズより短い間隔で、多数の搬送ローラ７１が設けてある。転写紙搬送部７０のうち、感光体４３と転写装置４６との間の転写箇所に至る少し手前には、転写紙の先端を検知するための先端検知センサー７２があり、その少し手前に第２給紙ローラ７３がある。第２給紙ローラ７３のさらに少し手前には、当該位置に転写紙が到来したことを検知するための第２給紙センサー７７が配置されている。
【００４４】
次のページの画像データが揃っていない場合には、給紙カセット６１から送り出された転写紙は、第２給紙ローラ７３の手前のレジスト位置で一旦停止し、画像データが揃った時点で搬送が再開される。また先端検知センサー７２が先端を検知したタイミングを基準としてレーザーユニット４２による静電潜像の形成が行なわれる。分離装置４７の下流には、感光体４３から分離された転写紙を定着装置８０へ搬送する搬送ベルト７４がある。
【００４５】
定着装置８０の後方には、転写紙の進路を切り替える進路切替爪７５が配置されている。進路切替爪７５を図中点線で示した水平位置にすると、定着後の転写紙は、矢印Ｃが示すように後処理装置９０へ排出される。進路切替爪７５を図中実線で示した傾斜位置にすると、転写紙は、矢印Ｄの示す方向へ進行し、表裏が反転された後、第２給紙ローラ７３の上流で元の経路に戻り、裏面への記録が行なわれる。転写紙の反転は、自動原稿送り装置２０と同様の仕組みで行なわれる。
【００４６】
すなわち、定着装置８０から矢印Ｄ方向へ送られた転写紙は一対の反転ローラ７６の間を通るように進行し、その終端部分が反転ローラ７６に至る直前に反転ローラ７６の回転方向が反転され、往路と異なる矢印Ｅ方向へ搬送されることで表裏が反転される。なお、片面コピーを出力する際には、定着装置８０を通過後、一旦、矢印Ｄの方向へ進行してから矢印Ｆの方向へ進むことで表裏が反転されて排紙される。後処理装置９０は、複数の転写紙を束ねてステープラで綴じたり、パンチで穴をあけたりする機能を有する。後処理装置９０は、転写紙が排紙トレイ９１へ排出されたことを検出する排紙センサー９２を備えている。
【００４７】
図４は、複写装置１０の電気的構成を示すブロック図である。自動原稿送り装置２０は、図示省略された駆動部の制御等を行なうＡＤＦ制御部２００を有する。読取部３０は、ラインセンサ３６と、スキャナ制御部２１０を備えている。スキャナ制御部２１０は、光源３３の点灯制御や露光走査部３５の移動制御などを行なう。操作表示部２２０は、ユーザーの各種操作を受け付けたり、ユーザーに向けて各種情報を表示したりする機能を果たす。操作表示部２２０は、液晶ディスプレイからなる表示部２２１と、その画面上に敷設されたタッチスイッチおよびその他のスイッチから成る操作部２２２と、表示部２２１および操作部２２２の動作を制御する操作制御部２２３とを有している。
【００４８】
プリンタ部４０は、レーザーユニット４２と、プリンタ制御部２３０を備えている。プリンタ制御部２３０は、レーザーユニット４２の有するレーザーダイオードのＯＮ／ＯＦＦ制御やポリゴンミラーの回転制御を行なう。またプリンタ制御部２３０は、帯電装置４４、転写装置４６、分離装置４７への電圧印加、感光体４３の回転、現像装置５０、クリーニング装置４８、定着装置８０、給紙部６０、転写紙搬送部７０等の動作を統括制御する機能を備えている。操作表示部２２０、スキャナ制御部２１０、操作表示部２２０、プリンタ制御部２３０はそれぞれＣＰＵおよびＲＯＭ、ＲＡＭを主要部とする回路で構成され、ＲＯＭに格納されたプログラムに従って各種の制御が実行される。
【００４９】
主制御部１００は、複写装置１０の動作を統括制御する機能を果たす。主制御部１００は、読取処理部１０１と、ＤＲＡＭ制御部１０２と、圧縮伸張部１０３と、画像メモリ１０４と、書込処理部１０５と、画像制御ＣＰＵ１１０と、プログラムメモリ１０６と、システムメモリ１０７と、不揮発性メモリ１０８と、Ｉ／Ｏポート１０９とを備えている。画像変換手段としての機能は、読取処理部１０１とＤＲＡＭ制御部１０２が果し、画像格納手段としての機能は画像メモリ１０４が果す。
【００５０】
読取処理部１０１は、読取部３０の出力する画像データに対して拡大処理、鏡像処理、誤差拡散による２値化処理などを施す機能を果たす。圧縮伸張部１０３は、２値化された画像データを圧縮したり、圧縮されたものを伸張したりする機能を果たす。圧縮伸張部１０３は圧縮処理と伸張処理を独立かつ並行に実行できる。画像メモリ１０４は、非圧縮の画像データをページ単位で格納可能なページメモリ１０４ａとしての機能と、圧縮された画像データを格納する圧縮メモリ１０４ｂとしての機能を果たす。
【００５１】
書込処理部１０５は、画像メモリ１０４から読み出して伸張された画像データをプリンタ部４０の動作に応じたタイミングでレーザーユニット４２へ送出する機能を果たす。ＤＲＡＭ制御部１０２は、ダイナミックＲＡＭからなる画像メモリ１０４へのリード・ライトおよびリフレッシュのタイミング制御や、画像データを圧縮して画像メモリ１０４に格納したり画像メモリ１０４から圧縮データを読み出して伸張したりする際のタイミング制御などを行なう。またＤＲＡＭ制御部１０２は、画像を１８０度回転させる機能を有している。回転処理を施す際には、圧縮伸張部１０３によって伸張した画像データをページメモリ１０４ａに１ページ分格納した後に読み出して書込処理部１０５へ引き渡す。そして画像データをページメモリ１０４ａへ格納した際と異なる順序で読み出すことで画像を１８０度回転させるようになっている。
【００５２】
画像制御ＣＰＵ１１０は、複写装置１０の動作全体を制御する制御手段としての機能を果す。画像制御ＣＰＵ１１０は、画像データの流れを管理する機能と、後述する操作制御部２２３と協同してコピー動作の予約を受け付けて管理する予約受付手段１１１としての機能を果す。プログラムメモリ１０６は、画像制御ＣＰＵ１１０が実行するプログラムを記憶したメモリであり、システムメモリ１０７は、プログラムの実行中に各種データを一時的に記憶するためのワークメモリである。不揮発性メモリ１０８は、電源ＯＦＦ後も記憶しておくべきユーザーデータやシステムデータを記憶するメモリである。Ｉ／Ｏポート１０９には、先端検知センサー７２などの各種センサーやＬＥＤ素子などが接続される。
【００５３】
複写装置１０は、原稿を読取部３０で読み取って得た画像データを圧縮して圧縮メモリ１０４ｂに格納する読取動作と、少なくとも１ページ分の格納が完了してから画像データを読み出し伸張して出力画像を形成する出力動作を組み合わせることでコピー機能を実現している。このように圧縮メモリ１０４ｂを介在させることと、圧縮伸張部１０３が圧縮処理と伸張処理を独立かつ並行に実行可能なことから、複写装置１０は、読取部３０が空いていれば、現在のジョブにかかわる出力動作中に次のジョブにかかわる読取動作を実行してジョブを予約登録し得るようになっている。たとえば、複数部コピーするような場合には、読取動作は原稿の各ページに対して１回だけ行なわれるが、出力動作は設定部数分だけ繰り返し実行される。このため、出力動作の実行中に読取部３０および圧縮伸張部１０３（圧縮機能）が空き状態になって、次のジョブの予約登録が可能になる。
【００５４】
図５は、複写装置１０の有する操作表示部２２０の表示状態の一例を示している。操作表示部２２０の画面には、ジョブを予約登録するためのタグ３０１が複数表示されている。ここでは第１タグ３０１ａ〜第５タグ３０１ｅに対応付けて５つのジョブを登録し得るようになっている。各タグ３０１ａ〜３０１ｅには、当該タグに対応するジョブの状態とジョブ番号が表示される。ジョブが未登録のタグには「空き」の文字が表示され、読取動作中になると「読取」の文字に、出力動作中になると「出力」の文字に変化する。また「空き」であっても網がけの施されているタグは選択できないようになっている。
【００５５】
画面上部には、ユーザーに対して各種の案内表示を行なう案内表示部３０２があり、図５に示すコピー開始前の待機状態では「コピーできます」と表示され、コピーが開始されると「コピーしています。空きタグでコピー予約できます」というメッセージに変化する。これに伴って左から２番目の第２タグ３０１ｂの網がけが無くなって選択可能になるとともに、一番左の第１タグ３０１ａの表示が「出力」に変わる。
【００５６】
この状態で、網がけが無く「空き」の文字が表示された第２タグ３０１ｂをユーザーが押下すると、予約画面となり「コピー予約できます」というメッセージが表示される。ここで図示省略のスタート釦を押すと、原稿の読取動作が開始され、案内表示部３０２のメッセージが「原稿読み込み中です」に、第２タグ３０１ｂの文字が「読込」にそれぞれ変化する。読取動作の完了後は、案内表示部３０２のメッセージは「出力待ちです。空きタグを押して、コピー予約出来ます」に、第２タグ３０１ｂの文字は「予約」にそれぞれ変化する。コピー動作の予約方法には、上述したようにユーザーが自らタグ３０１ａ〜３０１ｅを選択して行なう選択予約と、スタート釦が操作された際の動作状態に応じて装置側で自動設定する自動予約がある。自動予約の詳細は後述する。
【００５７】
図１は、複写装置１０の有する各種コピーモードにおける画像データの流れと画像の向きとの関係を示している。複写装置１０はコピーモードとして、自動原稿送り装置２０を用いるＡＤＦ使用モード（第１コピーモード）と、プラテンガラス３２上に原稿を載置してコピーするプラテンコピーモードを有している。プラテンコピーモードには、プラテン１モード（第２コピーモード）とプラテン２モード（第３コピーモード）とプラテン３モード（第４コピーモード）がある。
【００５８】
ＡＤＦ使用モードでは、画像データが、ラインセンサ３６→読取処理部１０１（鏡像処理）→ＤＲＡＭ制御部１０２→圧縮伸張部１０３（圧縮）→圧縮メモリ１０４ｂの順に流れて原稿の読取動作が行なわれる。また圧縮メモリ１０４ｂ→ＤＲＡＭ制御部１０２→圧縮伸張部１０３（伸張）→書込処理部１０５→レーザーユニット４２の順に画像データが流れて画像の出力動作が行なわれる。ＡＤＦ使用モードは流し読みモードを用いるので、図１の読取画像４０１が示す方向に主走査および副走査が行なわれて原稿が読み取られる。読取処理部１０１は、副走査方向の線分を対称軸として鏡像処理を施すので、圧縮画像４０２が示すように画像が上下に反転されて圧縮メモリ１０４ｂに格納される。圧縮メモリ１０４ｂからの読出および伸張は書込画像４０３が示す主走査および副走査の順に行なわれ、出力画像４０４が示すようにと正立した画像が出力される。
【００５９】
図６は、ＡＤＦ使用モードのコピー動作における各部の動作タイミングを示している。この図のコピー動作は、ＡＤＦ使用モード、原稿１枚、１部コピー、片面出力、後処理なしの条件下で行なわれたものである。時刻Ｔ１１にスタート釦が操作されると、自動原稿送り装置２０による原稿の搬送が開始するとともに、スキャナ駆動５０１が開始し、露光走査部３５がコンタクトガラス３１の真下の読取箇所へ移動する。その後、上述した流れで原稿の読取動作５０２が実施される。
【００６０】
転写紙送り出し動作５０３は、スタート釦が操作された時点で開始されるが、転写紙は、第２給紙ローラ７３の手前のレジスト位置で一時停止する。その後、時刻Ｔ１２にページ全体の読取動作が完了して１ページ分の画像データが圧縮メモリ１０４ｂに準備されると、第２給紙送り出し動作５０４が開始する。これに同期して上述した流れで画像の出力動作５０５が実施される。なお、原稿が２枚以上ある場合には、読取動作が連続して行なわれ、出力動作は、未出力のページが圧縮メモリ１０４ｂに格納されていることを条件に、読取動作と並行して実行される。
【００６１】
プラテン１モードでは、ラインセンサ３６→読取処理部１０１（鏡像処理なし）→ＤＲＡＭ制御部１０２→圧縮伸張部１０３（圧縮）→圧縮メモリ１０４ｂの順に画像データが流れて原稿の読取動作が行なわれる。また圧縮メモリ１０４ｂ→ＤＲＡＭ制御部１０２→圧縮伸張部１０３（伸張）→ページメモリ１０４ａ（１８０度回転）→ＤＲＡＭ制御部１０２→書込処理部１０５→レーザーユニット４２の順に画像データが流れて画像の出力動作が行なわれる。
【００６２】
プラテン１モードは、ＡＤＦ使用モードと出力画像の向きが一致するコピーモードである。プラテン１モードは静止読みモードを用いるので、図１の読取画像４１１が示す方向に主走査および副走査が行なわれて原稿が読み取られ、圧縮画像４１２が示す状態で圧縮メモリ１０４ｂに格納される。出力動作において１８０度回転処理を施すと、書込画像４１３および出力画像４１４の向きがＡＤＦ使用モードと同一になる。
【００６３】
流し読みモードで原稿を読み取るＡＤＦ使用モードと静止読みモードで原稿を読み取るプラテン１モードでは、原稿を読み取る副走査方向が逆になるので、出力画像の向きを一致させるためには、いずれか一方のモードで鏡像処理を、他方のモードで１８０度回転処理を施す必要がある。鏡像処理は副走査方向の線分を対象軸として行なわれるので、ラインセンサ３６の出力する画像データをライン単位に処理する（主走査方向の順序を逆にする）ことで実現される。
【００６４】
一方、１８０度回転処理は、１つのページ全体をページメモリ１０４ａに格納してからこれを格納時と異なる順序で読み出すことによって実現される。このため、１８０度回転処理は鏡像処理に比べて処理負担が大きく、処理時間もかかる。そこで、頻繁に利用されるＡＤＦ使用モードでの処理負担を下げるために、当該モードで鏡像処理を実施し、プラテン１コピーモードで画像の１８０度回転処理を実施するようになっている。
【００６５】
図７は、プラテン１モードのコピー動作における各部の動作タイミングを示している。この図は、前のジョブの出力動作中に選択予約でコピー動作のスタート指示を受け、前のジョブの終了後に出力動作が行なわれる場合を示している。図５の操作表示部２２０で空きタブを押してスタート釦を操作すると、選択予約によるコピー動作が開始する。プラテン１モードは、静止読みモードで原稿を読み取るので、スタート釦の操作（時刻Ｔ２１）と同時にスキャナ駆動５１１が開始され、露光走査部３５がプラテンガラス３２の下面に沿って移動し、これに同期して読取動作５１２が実行される。読取動作完了後の時刻Ｔ２２に前ジョブの出力動作が完了すると、その時点から転写紙送り出し動作５１３が開始する。圧縮メモリ１０４ｂには既に１ページ分の画像データが格納されているので、転写紙は、第２給紙送り出し動作５１４によってレジスト位置で一時的することなく搬送され、上述した流れで画像の出力動作５１５が実施される。
【００６６】
プラテン２モードでは、画像データがラインセンサ３６→読取処理部１０１（鏡像処理なし）→ＤＲＡＭ制御部１０２→ページメモリ１０４ａの順に流れて原稿の読取動作が行なわれる。またページメモリ１０４ａ→ＤＲＡＭ制御部１０２→書込処理部１０５→レーザーユニット４２の順に画像データが流れて画像の出力動作が行なわれる。プラテン２コピーモードは、１枚目のコピー完了までの所要時間（ＦＣＯＴ）を短縮するためのコピーモードであり、１ページ分の画像データの格納が完了するのを待たずに、読取動作を追いかけるように出力動作が実行される。このためプラテン２モードでは１８０度回転処理を実施できず、ＡＤＦ使用モードやプラテン１モードと出力画像の向きが逆になる。
【００６７】
図１に示すように、プラテン２モードの読取画像４２１は、プラテン１モードの読取画像４１１と同一方向になる。読み取った画像データは直接、ページメモリ１０４ａに格納される。また格納動作と並行してページメモリ１０４ａからの読出動作が実行される。ページメモリ１０４ａからの読み出しは出力画像４２３の示す主走査および副走査の順に実行され、プラテン１モードの出力画像４１４に対して１８０度回転した出力画像４２４が出力される。
【００６８】
図８は、プラテン２モードのコピー動作における各部の動作タイミングを示している。時刻Ｔ３１にスタート釦が操作されると、転写紙送り出し動作５２１およびスキャナ駆動５２２が開始される。露光走査部３５の移動に同期して時刻Ｔ３２から読取動作５２３が実行される。転写紙は、レジスト位置で一時的することなく第２給紙送り出し動作５２４によって搬送され、時刻Ｔ３３から読取動作と並行して出力動作５２５が実行される。このように読取動作の開始から出力動作の開始までに要する遅延時間Ｔ３がプラテン１モードに比べて短いので、１枚目の原稿の出力完了までに要する時間（ＦＣＯＴ）が短縮される。
【００６９】
プラテン３モードでは、ラインセンサ３６→読取処理部１０１（鏡像処理なし）→ＤＲＡＭ制御部１０２→圧縮伸張部１０３（圧縮）→圧縮メモリ１０４ｂの順に画像データが流れて原稿の読取動作が行なわれる。また圧縮メモリ１０４ｂ→ＤＲＡＭ制御部１０２→圧縮伸張部１０３（伸張）→ページメモリ１０４ａ（１８０度回転無し）→ＤＲＡＭ制御部１０２→書込処理部１０５→レーザーユニット４２の順に画像データが流れて画像の出力動作が行なわれる。
【００７０】
プラテン３モードは、プラテン２モードと出力画像の向きが一致するコピーモードである。プラテン３モードは静止読みモードを用いるので、図１の読取画像４３１が示す方向に主走査および副走査が行なわれて原稿が読み取られ、圧縮画像４３２が示す状態で圧縮メモリ１０４ｂに格納される。出力動作において１８０度回転処理が実施されないので、書込画像４３３および出力画像４３４の向きはプラテン２モードと同一になる。プラテン３モードは、１枚目の原稿がプラテン２モードでコピーされ、その出力動作が完了する前に続けてプラテンコピーを行なう場合に使用される。プラテン３モードのコピー動作における各部の動作タイミングは、図７に示したものと同様であり、その説明は省略する。
【００７１】
図９は、コピーモードを決定する処理の流れを示している。コピーのスタート釦が操作されると、自動原稿送り装置２０が使用されているか否かを判定し（ステップＳ６０１）、自動原稿送り装置２０を使用している場合は（Ｙ）、今回のコピー動作をＡＤＦ使用モードに設定する（ステップＳ６０２）。プラテンガラス３２上に載置された原稿を読み取るプラテンコピーの場合（ステップＳ６０１；Ｎ）であって、選択予約の設定が成されている場合は（ステップＳ６０３；Ｙ）、今回のコピー動作をプラテン１モードに設定する（ステップＳ６０４）。
【００７２】
選択予約の設定が成されていない場合（ステップＳ６０３；Ｎ）であって、前のジョブにかかわる出力動作が実行中でなければ（ステップＳ６０５；Ｎ）、今回のコピー動作をプラテン２モードに設定する（ステップＳ６０６）。前のジョブにかかわる出力動作が実行中の場合は（ステップＳ６０５；Ｙ）、１ページ目のコピー動作がプラテン２モードで実行されていたか否かを調べ（ステップＳ６０７）、プラテンモード２で実行されていた場合は（Ｙ）、自動予約としてプラテン３モードを設定する（ステップＳ６０８）。１ページ目のコピー動作がプラテン２モードでない場合は（ステップＳ６０７；Ｎ）、今回のスタート釦の操作をキャンセルする（ステップＳ６０９）。なお、キャンセルに代えて、出力動作が完了した時点でプラテン２モードによるコピー動作を実行するように設定してもよい。
【００７３】
１ページ目がプラテン２モードか否かは、たとえば、プラテン２モードを設定した際にセットされ、ＡＤＦ使用モードまたはプラテン１モードがセットされた際にリセットされるフラグを設け、このフラグがセットされている場合には、１ページ目がプラテン２モードで開始されたと判定するように構成するとよい。
【００７４】
図８の点線部分は、プラテン２モードに続けてプラテン３モードのコピー動作が行なわれる場合の動作タイミングの一例を示している。プラテン２モードで行なわれたコピー動作で排紙動作５２６が完了する前の時刻Ｔ３４に、選択予約の操作が成されていないプラテンコピーのスタート釦が操作される。これにより、自動予約となってプラテン３モードが設定される。プラテン３モードでは、前のページの出力動作が完了する前に原稿の読取動作５３１が開始し、その画像データが圧縮されて圧縮メモリ１０４ｂに格納される。原稿の読取動作が完了していることおよび前のページの排紙動作５２６が完了していることの条件が揃うと、今回のコピー動作にかかわる転写紙送り出し動作５３２が開始されて出力動作が実施される。
【００７５】
図１０から図１３は、複写装置１０がジョブの実行を管理する際に使用するジョブテーブルの一例を示している。ジョブテーブルは、システムメモリ１０７に格納される。ジョブテーブル７００は、当該ジョブの各ページ共通する情報であるＪＯＢデータ７０１と、ページ毎に相違する情報であるページデータ７０２がある。ＪＯＢデータ７０１に登録されるデータには、設定部数やコピーモード、後処理の条件（ステープル／パンチなど）のようにジョブの開始時に設定されてその後は変更されない項目と、ジョブの実行中に逐次設定される項目がある。
【００７６】
たとえば、出力済み部数、読込済み画像枚数、書込済み画像枚数などは、該当する処理の実行毎に更新される。コピーモードの欄には、図９の処理により、ＡＤＦ使用モード、プラテン１モード、プラテン２モード、プラテン３モードのいずれかがセットされる。ページデータ７０２には、ページ毎に、ページ番号と出力時画像回転角度と画像データの格納アドレスが登録される。画像制御ＣＰＵ１１０は、このようなジョブテーブルを参照して、操作表示部２２０への表示や、読取動作、出力動作の実行を制御する。
【００７７】
ジョブテーブル７００への各種のデータセットは、読取動作の前に行なわれる読取準備処理と出力動作の前に行なわれる画像書込準備処理によって行なわれる（図６〜図８参照）。図１１は、画像読込準備処理によってデータがセットされた状態のジョブテーブル７１０の一例を示し、図１３は、画像読取準備処理の流れを示している。コピーモードがＡＤＦ使用モードに設定されている場合は（ステップＳ８０１；Ｙ）、読取処理部１０１に鏡像処理の実行指示をセットする（ステップＳ８０２）。またＪＯＢデータ７１１内の「読込済み画像枚数」の欄７１２に登録されている数値を「＋１」したページ番号のページデータ７１３を参照し、その「出力時画像回転角度」の欄７１４に「０度」をセットする。このほか画像格納アドレス」の欄７１５に画像格納アドレスをセットし、ＪＯＢデータ７１１に使用トレイや出力モードなどをセットする（ステップＳ８０３）。
【００７８】
続いてＤＲＡＭ制御部１０２に圧縮モード（圧縮処理の実行要求）をセットし、圧縮データの格納アドレスをセットする（ステップＳ８０４）。その後、読取処理部１０１に倍率などをセットし（ステップＳ８１２）、ＪＯＢデータ内の読込済画像枚数の欄の値を「＋１」して（ステップＳ８１３）、処理を終了する（終了）。
【００７９】
コピーモードがプラテン１モードに設定されている場合は（ステップＳ８０５；Ｙ）、ＪＯＢデータ７１１内の「読込済み画像枚数」の欄７１２に登録されている数値を「＋１」したページ番号のページデータ７１３を参照し、その「出力時画像回転角度」の欄７１４に「１８０度」をセットする。また使用トレイや出力モード・画像格納アドレスなどをセットする（ステップＳ８０７）。さらにＤＲＡＭ制御部１０２に圧縮モードと圧縮データの格納アドレスをセットし（ステップＳ８０８）、読取処理部１０１に倍率などをセットし（ステップＳ８１２）、ＪＯＢデータ内の読込済画像枚数の欄の値を「＋１」して（ステップＳ８１３）、処理を終了する（終了）。
【００８０】
コピーモードがプラテン２モードに設定されている場合は（ステップＳ８０６；Ｙ）、ＤＲＡＭ制御部１０２へ非圧縮モードと画像データの格納アドレスをセットし（ステップＳ８０９）、以後読取処理部１０１に倍率等をセットして（ステップＳ８１２、Ｓ８１３）処理を終了する（終了）。
【００８１】
コピーモードがプラテン３モードに設定されている場合は（ステップＳ８０６；Ｎ）、ＪＯＢデータ７１１内の「読込済み画像枚数」の欄７１２に登録されている数値を「＋１」したページ番号のページデータ７１３を参照し、その「出力時画像回転角度」の欄７１４に「０度」をセットする。また使用トレイや出力モード・画像格納アドレスなどをセットする（ステップＳ８１０）。さらにＤＲＡＭ制御部１０２に圧縮モードと画像格納アドレスをセットし（ステップＳ８１１）、読取処理部１０１に倍率などをセットし（ステップＳ８１２）、ＪＯＢデータ内の読込済画像枚数の欄の値を「＋１」して（ステップＳ８１３）、処理を終了する（終了）。
【００８２】
図１２は、画像書込準備処理で参照されるジョブテーブル７２０の一例を示し、図１４は、画像書込準備処理の流れを示している。ジョブテーブル７２０に登録されているコピーモードがプラテン２モードの場合は（ステップＳ９０１；Ｙ）、ＤＲＡＭ制御部１０２に、ページメモリ１０４ａからの出力モードをセットし、１ページ目のページデータ７２１の「画像格納アドレス」の欄７２２に登録されている画像格納アドレスを読み出し、これを出力先頭アドレスとしてＤＲＡＭ制御部１０２にセットする（ステップＳ９０２）。その後、レーザーダイオードのパワー値の設定など書込処理部１０５に共通な設定処理を実施し（ステップＳ９０９）、ＪＯＢデータ７２３内の「書込済み画像枚数」の欄７２４の値を「＋１」して（ステップＳ９１０）処理を終了する（終了）。
【００８３】
ジョブテーブル７２０に登録されているコピーモードがプラテン２モードでない場合は（ステップＳ９０１；Ｎ）、ＪＯＢデータ７２３内の「書込済み画像枚数」の欄７２４に登録されている値に「＋１」したページ番号のページデータを参照し、その「出力時画像回転角度」の欄７２５に登録されている角度を読み出す（ステップＳ９０３）。この角度が「１８０度」の場合は（ステップＳ９０４；Ｙ）、伸張したデータをページメモリ１０４ａに格納するページメモリ伸張モードと、「画像格納アドレス」の欄７２２に登録されている圧縮データの先頭アドレスをＤＲＡＭ制御部１０２にセットする（ステップＳ９０５）。これにより、圧縮データが伸張されてページメモリ１０４ａに格納される（ステップＳ９０６；Ｎ）。なおコピーモードがプラテン１モードのとき、先に説明した画像読込準備処理によってこの角度が「１８０度」に設定されている。
【００８４】
伸張が完了すると（ステップＳ９０６；Ｙ）、ＤＲＡＭ制御部１０２に１８０度回転出力モードとページメモリ１０４ａの先頭アドレスをセットする（ステップＳ９０７）。１８０度回転出力モードのセットにより、ＤＲＡＭ制御部１０２は画像データに１８０度回転処理を施す。その後、レーザーダイオードのパワー値の設定など書込処理部１０５に共通な設定処理を実施し（ステップＳ９０９）、ＪＯＢデータ７２３内の「書込済み画像枚数」の欄７２４の値を「＋１」して（ステップＳ９１０）、処理を終了する（終了）。
【００８５】
該当するページデータの「出力時画像回転角度」の欄７２５から読み出した角度が「１８０度」でない場合は（ステップＳ９０４；Ｎ）、１８０度回転処理を伴わずに伸張する伸張モードと「画像格納アドレス」の欄７２２に登録されている圧縮データの先頭アドレスとをＤＲＡＭ制御部１０２にセットする（ステップＳ９０８）。これにより、圧縮メモリ１０４ｂに格納された圧縮データが読み出されて伸張される（１８０度回転なし）。その後、レーザーダイオードのパワー値の設定など書込処理部１０５に共通な設定処理を実施し（ステップＳ９０９）、ＪＯＢデータ７２３内の「書込済み画像枚数」の欄７２４の値を「＋１」して（ステップＳ９１０）、処理を終了する（終了）。
【００８６】
以上、本発明の実施の形態を図面によって説明してきたが、具体的な構成はこれら実施の形態に限られるものではなく、本発明の要旨を逸脱しない範囲における変更や追加があっても本発明に含まれる。たとえば実施の形態では、ステープルやパンチなどの後処理が行なわれないことを前提にしたが、後処理が行なわれるか否かを判定し、後処理がある場合には、後処理に応じた向きの出力画像が得られるモードでコピー動作を行なうように構成するとよい。
【００８７】
また実施の形態では、ＡＤＦ使用モードで鏡像処理を、プラテン１モードで１８０度回転処理を実施したが、ＡＤＦ使用モードで１８０度回転処理と鏡像処理の双方を実施し、プラテン１モードで１８０度回転処理を実施しないように構成してもよい。この場合、プラテン１モードとプラテン３モードの処理内容が一致することになる。またすべてコピーモードで出力画像の向きが揃う。
【００８８】
さらに実施の形態では、コピー機能だけを備えた複写装置を例に説明したが、当該機能にプリンタやファクシミリの機能を統合させた、いわゆるデジタル複合機においても本発明を適用することができる。
【００８９】
【発明の効果】
本発明にかかる複写装置および複写方法によれば、流し読み方式の自動原稿送り装置を用いたコピー動作の処理速度向上と、プラテンガラス上に載置された原稿の１枚目が出力されるまでの時間短縮と、プラテンガラス上に載置された原稿のコピーを続けて行なう場合の時間短縮とを図りつつ、連続的なコピー動作において向きの揃った出力画像を得ることができる。
【００９０】
またプラテンガラス上の原稿をユーザーが入れ替えながら連続的にコピーする場合に、原稿の１ページ目はＦＣＯＴを重視したコピーモードが自動的に選択され、２ページ目以降は前ページの出力動作中に原稿が読み込まれ、かつ出力画像の向きが１枚目と揃うコピーモードが自動的に選択されるので、ユーザーが特別な操作を行なうことなくコピー作業の時間が短縮されるとともに、１ページ目と２ページ目以降の向きが揃った出力画像を得ることができる。
【００９１】
自動原稿送り装置を用いるコピーモードで画像の１８０度回転処理が実施されないように画像データの流れを設定したものでは、頻繁に使用される自動原稿送り装置を用いたコピーモードにおける処理負担が軽減し、ユーザーにおける実質的なコピー速度が向上する。
【図面の簡単な説明】
【図１】本発明の実施の形態にかかわる複写装置の各種コピーモードにおける画像データの流れと画像データの向きとの関係を示す説明図である。
【図２】本発明の実施の形態に係る画像形成装置の断面構成を示す説明図である。
【図３】流し読みモードで読み取った画像と静止読みモードで読み取った画像の向きを対比して示す説明図である。
【図４】本発明の実施の形態に係る複写装置の電気的構成を示すブロック図である。
【図５】本発明の実施の形態に係る複写装置の有する操作表示部の表示状態の一例を示す説明図である。
【図６】本発明の実施の形態に係る複写装置がＡＤＦ使用モードでコピー動作を行なう場合における各部の動作タイミングを示す説明図である。
【図７】本発明の実施の形態に係る複写装置がプラテン１モードでコピー動作を行なう場合における各部の動作タイミングを示す説明図である。
【図８】本発明の実施の形態に係る複写装置がプラテン２モードおよびプラテン３モードでコピー動作を行なう場合における各部の動作タイミングを示す説明図である。
【図９】本発明の実施の形態に係る複写装置がコピーモードを判定する際の動作を示す流れ図である。
【図１０】本発明の実施の形態に係る複写装置がジョブの実行を管理する際に使用するジョブテーブルの一例を示す説明図である。
【図１１】本発明の実施の形態に係る複写装置が読取動作の開始前に行なう画像読込準備処理によってデータがセットされた状態のジョブテーブルの一例を示す説明図である。
【図１２】本発明の実施の形態に係る複写装置が読取動作の開始前に行なう画像読込準備処理を示す流れ図である。
【図１３】本発明の実施の形態に係る複写装置が出力動作の開始前に行なう画像書込準備処理で参照するジョブテーブルの一例を示す説明図である。
【図１４】本発明の実施の形態に係る複写装置が出力動作の開始前に行う画像書込準備処理を示す流れ図である。
【符号の説明】
２…原稿
１０…複写装置
２０…自動原稿送り装置
２１…原稿載置トレイ
２２…給紙ローラ
２３…密着ローラ
２４…案内ローラ
２５…切替爪
２６…反転ローラ
２７…排紙トレイ
３０…読取部
３１…コンタクトガラス
３２…プラテンガラス
３３…光源
３４…ミラー
３５…露光走査部
３６…ラインセンサ
３７…集光レンズ
３８…ミラー
４０…プリンタ部
４２…レーザーユニット
４３…感光体ドラム
４４…帯電装置
４６…転写装置
４７…分離装置
４８…クリーニング装置
５０…現像装置
５１…本体ケース
５２…現像スリーブ
５３…攪拌器
６０…給紙部
６１…給紙カセット
６２…第１給紙ローラ
６３…トレイ出口センサー
７０…転写紙搬送部
７１…搬送ローラ
７２…先端検知センサー
７３…第２給紙ローラ
７４…搬送ベルト
７５…進路切替爪
７６…反転ローラ
７７…第２給紙センサー
８０…定着装置
９０…後処理装置
９１…排紙トレイ
９２…排紙センサー
１００…主制御部
１０１…読取処理部
１０２…ＤＲＡＭ制御部
１０３…圧縮伸張部
１０４…画像メモリ
１０４ａ…ページメモリ
１０４ｂ…圧縮メモリ
１０５…書込処理部
１０６…プログラムメモリ
１０７…システムメモリ
１０８…不揮発性メモリ
１０９…Ｉ／Ｏポート
１１０…画像制御ＣＰＵ
２００…ＡＤＦ制御部
２１０…スキャナ制御部
２２０…操作表示部
２２１…表示部
２２２…操作部
２２３…操作制御部
２３０…プリンタ制御部
４０１、４１１、４２１、４３１…読取画像
４０２、４１２、４３２…圧縮画像
４０３、４１３、４２３、４３３…書込画像
４０４、４１４、４２４、４３４…出力画像
５０１、５１１、５２２…スキャナ駆動
５０２、５１２、５２３、５３１…読取動作
５０３、５１３、５２１、５３２…転写紙送り出し動作
５０４、５１４、５２４…第２給紙送り出し動作
５０５、５１５、５２５…出力動作
５２６…排紙動作
７００、７２０…ジョブテーブル
７０１、７１１、７２３…ＪＯＢデータ
７０２、７１３、７２１…ページデータ
７１２…「読込済み画像枚数」の欄
７１４、７２５…「出力時画像回転角度」の欄
７１５、７２２…「画像格納アドレス」の欄
７２４…「書込済み画像枚数」の欄
【図１】
2004350074.tif 000003
【図２】
2004350074.tif 000004
【図３】
2004350074.tif 000005
【図４】
2004350074.tif 000006
【図５】
2004350074.tif 000007
【図６】
2004350074.tif 000008
【図７】
2004350074.tif 000009
【図８】
2004350074.tif 000010
【図９】
2004350074.tif 000011
【図１０】
2004350074.tif 000012
【図１１】
2004350074.tif 000013
【図１２】
2004350074.tif 000014
【図１３】
2004350074.tif 000015
【図１４】
2004350074.tif 000016